(57)【要約】【課題】  収納部材に収納された電子機器ユニットの放熱を効率的に実施すると共に、その電子機器ユニットのセキュリティを確保することが可能な電子機器ユニットの着脱機構等を提供する。【解決手段】  電子機器ユニットの着脱機構は、電子機器ユニット前面と平行となるように該電子機器ユニットに設けられた回転軸５と、回転軸５と近接する、電子機器ユニットの収納部材４０における平面に形成された開口部４１と、回転軸５を中心軸としたレバーの回動方向に応じて、前記開口部の縁部４２ｂまたは収納部材４０の縁部４２ａと当接することによって、収納部材４０と電子機器ユニットとを挿抜可能な着脱機構とを備え、着脱機構は、少なくともレバーの一部が電子機器ユニットから着脱可能であることを特徴とする。【選択図】図１
2013206941.tif 000002
【特許請求の範囲】
【請求項１】
電子機器ユニット前面と平行となるように該電子機器ユニットに設けられた回転軸と、
前記回転軸と近接する、前記電子機器ユニットの収納部材における平面に形成された開口部と、
前記回転軸を中心軸としたレバーの回動方向に応じて、前記開口部の縁部または前記収納部材の縁部と当接することによって、前記収納部材と前記電子機器ユニットとを挿抜可能な着脱機構とを備え、
前記着脱機構は、
少なくともレバーの一部が前記電子機器ユニットから着脱可能であることを特徴とする電子機器ユニットの着脱機構。
【請求項２】
前記着脱機構は、
前記回転軸を係合するところの略Ｕ字形状に形成された嵌合部と、
前記レバーの回動方向に応じて、前記開口部の縁部または前記収納部材の縁部と当接することによって、前記収納部材に前記電子機器ユニットを挿抜する先端部と、
を備えることを特徴とした請求項１に記載の電子機器ユニットの着脱機構。
【請求項３】
前記着脱機構は、
前記着脱機構を操作するための第２の着脱レバーと、
前記電子ユニット側に前記第2の着脱レバーと着脱可能な第２のラッチ部と、
を別体で備えることを特徴とする請求項１に記載の着脱機構。
【請求項４】
前記第２の着脱レバーは、
長手方向の一端に前記第２のラッチ部に着脱するための略十字形状に形成された挿入部を含むことを特徴とする請求項３に記載の電子機器の着脱機構。
【請求項５】
前記第２のラッチ部は、
前記回転軸を挿通すると共に、該回転軸が回動可能な孔と、
前記挿入部を挿入するところの挿入溝と
前記レバーの回動方向に応じて、前記開口部の縁部または前記収納部材の縁部と当接することによって、前記収納部材に前記電子機器ユニットを挿抜する先端部と、
を含むことを特徴とする請求項３または請求項４に記載の電子機器の着脱機構。
【請求項６】
収納部材に電子機器ユニットを挿抜する際に、前記電子機器ユニット前面と平行となるように該電子機器ユニットに設けられた回転軸と、前記回転軸と近接する、前記電子機器ユニットの前記収納部材における平面に形成された開口部とを、着脱機構を用いて、前記回転軸を中心軸としてレバーが回動される方向に応じて、前記開口部の縁部または前記収納部材の縁部と当接することによって、前記収納部材と前記電子機器ユニットとを挿抜し、前記着脱機構は、少なくともレバーの一部が前記電子機器ユニットから着脱されることを特徴とする電子機器ユニットの着脱方法。
【発明の詳細な説明】
【技術分野】
【０００１】
本発明は、電子機器等のラックやケース等の収納部材に電子機器ユニットを着脱する技術分野に関する。
【背景技術】
【０００２】
近年、ネットワーク技術の進歩によって、企業等が扱う情報量は、急激に増加している。
【０００３】
情報量の増加に対して、例えば、企業におけるデータセンターでは、複数のハードディスクドライブ（Ｈａｒｄ  ｄｉｓｋ  ｄｒｉｖｅ；以降、「ＨＤＤ」と称する）ユニットにデータを分散させて保存するディスクアレイ装置やサーバ等を増設することによって対応している。
【０００４】
一方で、増設したディスクアレイ装置やサーバ等の機器は、動作に伴いたくさんの熱を発生する。一般的に知られた電子機器は、熱によって寿命が短くなると共に、システム障害の原因となる場合がある。
【０００５】
そのため、データセンターでは、ディスクアレイ装置やサーバ等の機器を冷却する必要がある。
【０００６】
さらに、データセンターでは、膨大な数のディスクアレイ装置の紛失等の事故を防ぐために、セキュリティを強化する必要がある。
【０００７】
ここで、本願出願に先立って存在する関連技術として、例えば特許文献１は、ディスクアレイ装置にＨＤＤユニットを着脱する機構について開示する。
【０００８】
特許文献１に記載された着脱装置は、ＨＤＤユニットの前面に押圧部を有する２つのブロックと回動可能なアームとを有する。
【０００９】
特許文献１に開示された装置は、アームを回動することでディスクアレイ装置とＨＤＤユニットとをロックおよびロック解除することにより、ＨＤＤユニットをディスクアレイ装置に着脱する。
【００１０】
このように、特許文献１は、アームを回動することにより、複数列のＨＤＤユニットを着脱可能にする着脱装置を提供する技術を開示する。
【００１１】
特許文献２は、主配線盤装置等に使用される大型基板を挿抜する工具について開示する。特許文献２に記載された大型基板用挿抜工具は、前部に基板保持ピンを有する。
【００１２】
さらに、特許文献２に開示された装置は、基板保持ピンの下方にシェルフの接触部を挟むように、両側にリール部を有する。
【００１３】
特許文献２は、基板に設けられた穴に基板保持ピンを挿入する。特許文献２は、リール部を中心に挿抜工具本体を円弧方向に回転する。これにより、特許文献２は、シェルフから基板を挿抜する。
【００１４】
このように、特許文献２は、シェルフの接触部を挟むようにリール部を設けることにより、シェルフの接触部とリール部間で生じる摩擦力を緩和する技術を開示する。
【００１５】
また、特許文献３は、電子機器ユニットを電子機器に着脱する機構について開示する。特許文献３に記載された着脱機構は、内部ユニットの前面に梃子部と梃子部を支持する梃子支持部と梃子部に着脱可能なハンドル（操作部）とを有する。
【００１６】
特許文献３に開示された装置は、着脱可能なハンドルを操作することによって、梃子部と梃子支持部とを施錠および解除する。これにより、特許文献３は、電子機器に内部ユニットを挿抜する。
【００１７】
このように、特許文献３は、着脱可能なハンドルを設けることにより、容易に内部ユニットを挿抜する技術を開示する。
【先行技術文献】
【特許文献】
【００１８】
【特許文献１】特開２００６−０６００６８号公報
【特許文献２】特開平１１−０６８３５７号公報
【特許文献３】特開２００３−３０８１３６号公報
【発明の概要】
【発明が解決しようとする課題】
【００１９】
ところで、ディスクアレイ装置は、複数の着脱可能なＨＤＤユニットを搭載する。また、ディスクアレイ装置に着脱するために、ＨＤＤユニットは、ラッチレバー等のロック機構をＨＤＤユニット前面に有する。
【００２０】
ＨＤＤユニットは、前面に備えたロック機構が遮蔽物となり十分、且つ効率的に吸気または排気することができない。そのため、ＨＤＤユニットの筐体内は、熱が滞留するために温度が上昇する問題が発生する。
【００２１】
このような背景から、データセンターでは、冷却ファンを高速回転させる等の様々な冷却方法によって、ディスクアレイ装置内の温度が上昇することを抑止する必要がある。
【００２２】
また、ＨＤＤユニットは、前面にロック機構を備えているため、第三者が無断でＨＤＤユニットを挿抜することが可能である。そのため、ＨＤＤユニットは、第三者が無断で挿抜することが困難な機構を備える必要がある。
【００２３】
さらに、上述した特許文献１に記載された技術では、ＨＤＤユニット前面にロック機構を有しており、依然として、ロック機構が遮蔽物となり十分に吸気または排気を行うことができない問題を解決することが困難である。さらに、特許文献１は、アームを回動することにより、複数列のＨＤＤユニットを着脱することに関して記載されているに留まり、依然として、第三者が無断で大型基板を挿抜することが可能である。
【００２４】
また、特許文献２は、シェルフの接触部とリール部間で生じる摩擦力を緩和することに関して記載されているに留まり、主配線盤装置等の筐体内部において熱が上昇した場合に関して何ら言及されていない。
【００２５】
また、特許文献３は、内部ユニット毎に梃子部と梃子部を支持する梃子支持部と梃子部に着脱可能なハンドル（操作部）が必要であり、部品コストが高くなってしまう。
【００２６】
本発明の主たる目的は、収納部材に収納された電子機器ユニットの放熱を効率的に実施すると共に、その電子機器ユニットのセキュリティを確保することが可能な電子機器ユニットの着脱機構等を提供することにある。
【課題を解決するための手段】
【００２７】
上記の課題を達成すべく、本発明に係る電子機器ユニットの着脱機構は、以下の構成を備えることを特徴とする。
【００２８】
即ち、本発明に係る電子機器ユニットの着脱機構は、
電子機器ユニット前面と平行となるように該電子機器ユニットに設けられた回転軸と、前記回転軸と近接する、前記電子機器ユニットの収納部材における平面に形成された開口部と、前記回転軸を中心軸としたレバーの回動方向に応じて、前記開口部の縁部または前記収納部材の縁部と当接することによって、前記収納部材と前記電子機器ユニットとを挿抜可能な着脱機構とを備え、前記着脱機構は、少なくともレバーの一部が前記電子機器ユニットから着脱可能であることを特徴とする。
【００２９】
また、同目的を達成すべく、本発明に係る電子機器ユニットの着脱方法は、以下の構成を備えることを特徴とする。
【００３０】
即ち、本発明に係る電子機器ユニットの着脱方法は、
収納部材に電子機器ユニットを挿抜する際に、前記電子機器ユニット前面と平行となるように該電子機器ユニットに設けられた回転軸と、前記回転軸と近接する、前記電子機器ユニットの収納部材における平面に形成された開口部とを、着脱機構を用いて、前記回転軸を中心軸としてレバーが回動される方向に応じて、前記開口部の縁部または前記収納部材の縁部と当接することによって、前記収納部材と前記電子機器ユニットとを挿抜し、前記着脱機構は、少なくともレバーの一部が前記電子機器ユニットから着脱されることを特徴とする。
【発明の効果】
【００３１】
本発明によれば、収納部材に収納された電子機器ユニットの放熱を効率的に実施すると共に、その電子機器ユニットのセキュリティを確保することが可能な電子機器ユニットの着脱機構等を提供することができる。
【図面の簡単な説明】
【００３２】
【図１】本発明の第１の実施形態における着脱機構を示す斜視図である。
【図２】本発明の第１の実施形態における収納部材の要部を示す斜視図である。
【図３】本発明の第１の実施形態における着脱機構を示す断面図である。
【図４】本発明の第２の実施形態における着脱機構を示す斜視図である。
【図５】本発明の第２の実施形態における第２のラッチ部を示す斜視図である。
【図６】本発明の第２の実施形態における着脱機構を示す断面図である。
【発明を実施するための形態】
【００３３】
以下、本発明の実施形態について図面を参照して詳細に説明する。
【００３４】
尚、説明の便宜上、各図面に併記した３次元（Ｘ，Ｙ，Ｚ）座標軸を用いて説明する。
【００３５】
＜第１の実施形態＞
まず、本発明の第１の実施形態における着脱機構１について、図１乃至図３を参照して説明する。
【００３６】
図１は、本発明の第１の実施形態における着脱機構１を示す斜視図である。
【００３７】
着脱機構１は、大別して、ＨＤＤユニット２、第１の着脱レバー２１、収納部材４０によって構成されている。
【００３８】
尚、説明の便宜上、一例として、電子機器ユニットであるＨＤＤユニット２を収納部材４０に装着する場合について説明する。ここで、一例として、収納部材４０は、ラックやケース、ディスクアレイ装置等を示す。また、説明および図示の便宜上、図１において表現を省略した収納部材４０は、例えば、＋（プラス）Ｘ軸方向に延設されたガイド等を有することとする（以下の実施形態においても同様）。
【００３９】
図１におけるＨＤＤユニット２は、ＨＤＤケース３、ＨＤＤ４、回転軸５を有する。
【００４０】
尚、説明の便宜上、図１においてＨＤＤユニット２は、−（マイナス）Ｘ軸方向に立設する側面を前面とする。一方、ＨＤＤユニット２は、前面と対向するように＋Ｘ軸方向に立設する側面を背面とする。さらに、ＨＤＤユニット２は、＋Ｙ軸方向の平面を上面（主面、天面）とする。一方、ＨＤＤユニット２は、上面と対向する−Ｙ軸方向の平面を底面とする。また、ＨＤＤユニット２は、−Ｚ軸方向に立設する側面を右側面とする。一方、ＨＤＤユニット２は、右側面と対向するように＋Ｚ軸方向に立設する側面を左側面とする。
【００４１】
より具体的に、ＨＤＤケース３は、略長方形の形状を有する。
【００４２】
ＨＤＤケース３は、右側面と左側面と（図１における＋Ｚ軸方向）に延設された回動軸５が形成されている。また、回転軸５は、ＨＤＤケース３の前面下方の端部近傍（図１における−Ｘ軸方向）に形成されている。さらに、回転軸５は、円柱形状に形成されている。
【００４３】
尚、説明の便宜上、一例として、回転軸５は、ＨＤＤケース３の前面下方の端部近傍（図１における−Ｘ軸方向）に形成したが、これに限らず、回転軸５は、ＨＤＤケース３の前面上方の端部近傍（図１における−Ｘ軸方向）に形成してもよい（以下の実施形態においても同様）。
【００４４】
また、説明の便宜上、一例として、回転軸５は、ＨＤＤケース３に回動可能なように形成してもよい。また、これに限らず、回転軸５は、ＨＤＤケース３にリベット等で固着するように形成してもよい。尚、回転軸５を回動可能なように形成する手法については、一般的に知られている技術を用いることができるので本実施形態における詳細な説明は省略する（以下の実施形態においても同様）。
【００４５】
次に、ＨＤＤケース３は、ＨＤＤ４を固定するために、例えば、ＨＤＤ４に形成されたネジ孔に合わせて不図示の孔が形成されている。尚、係るＨＤＤケース３にＨＤＤ４を固定態様自体は本実施形態の特徴ではないので詳細な説明は省略する。
【００４６】
このため、例えば、ユーザは、ＨＤＤケース３が有する不図示の孔とＨＤＤ４が有するネジ孔とを不図示のネジをドライバ等の工具で締付けることによって、ＨＤＤ４を固定することができる。
【００４７】
尚、ＨＤＤ４を固定する手法については、一般的に知られている技術を採用することができるので本実施形態における詳細な説明は省略する（以下の実施形態においても同様）。
【００４８】
図２は、本発明の第１の実施形態における収納部材４０の要部を示す斜視図である。
【００４９】
収納部材４０は、複数のＨＤＤユニット２を装着することが可能である。
【００５０】
説明の便宜上、図２における収納部材４０は、ＨＤＤユニット２の底面に近接する収納部材４０の平面における縁部近傍に形成された開口４１を示す斜視図である。
【００５１】
説明の便宜上、開口４１に形成された長手方向の一端は、縁部４２ｂと称する。また、縁部４２ｂの手前側に延設された縁部は、縁部４２ａと称する（以下の実施形態においても同様）。
【００５２】
尚、説明の便宜上、開口４１は、ＨＤＤユニット２の底面に近接する収納部材４０の平面に形成したが、これに限らず、開口４１は、ＨＤＤユニット２の上面に近接する収納部材４０の平面に形成してもよい。この場合、回転軸５は、ＨＤＤケース３の前面上方の端部近傍（図１における−Ｘ軸方向）に形成する（以下の実施形態においても同様）。
【００５３】
以下の説明において、説明の便宜上、本実施形態において説明する着脱レバーを第１の着脱レバー２１と称する（以下の実施形態においても同様）。
【００５４】
第１の着脱レバー２１は、長手方向の一方（図１において＋Ｙ軸方向）を略直線状に形成されている。
【００５５】
尚、説明の便宜上、第１の着脱レバー２１は、長手方向の一方（図１において＋Ｙ軸方向）を略直線状に形成したが、これに限らず、第１の着脱レバー２１は、長手方向の一方（図１において＋Ｙ軸方向）を略Ｌ字形状に形成してもよい。また、例えば、第１の着脱レバー２１は、ユーザが操作することが可能な形状を採用することができる（以下の実施形態においても同様）。
【００５６】
さらに、第１の着脱レバー２１は、長手方向の他方（図１において−Ｙ軸方向）に第１のラッチ部２２を有する。
【００５７】
第１のラッチ部２２は、下方向端部（図１において−Ｙ軸方向）に先端部２４（２４ａ、２４ｂ）が略コの字形状に形成されている。
【００５８】
説明の便宜上、先端部２４は、図１における＋Ｘ軸方向の先端部を第１の先端部２４ａと称する。さらに、先端部２４は、図１における−Ｘ軸方向の先端部を第２の先端部２４ｂと称する（以下の実施形態においても同様）。
【００５９】
また、第１のラッチ部２２は、短手方向（図１におけるＸ軸方向）の一端に回転軸５と係合可能なように嵌合部２３が略Ｕ字形状に形成されている。尚、嵌合部２３は、回転軸５に係合すると共に、回転軸５を中心軸として、回動可能な大きさに設ければよい。
【００６０】
例えば、ユーザは、嵌合部２３が略Ｕ字形状に形成されているため、第１の着脱レバー２１を回転軸５から容易に着脱することができる。
【００６１】
尚、説明の便宜上、一例として、嵌合部２３は、略Ｕ字形状に形成したが、これに限らず、嵌合部２３は、略半円形状に形成してもよい。但し、本発明は、これらに限定されない（以下の実施形態においても同様）。
【００６２】
次に、本発明の第１の実施形態に係るより具体的な着脱機構１の動作について説明する。
【００６３】
ここでは、一例として、ユーザが収納部材４０にＨＤＤユニット２を装着する場合の動作について説明する。
【００６４】
尚、説明の便宜上、上述した構成を例に説明するが、これに限定されない（以下の実施形態においても同様）。
【００６５】
図３は、本発明の第１の実施形態における着脱機構１を示す断面図（図１におけるＡ−Ａ断面図）である。
【００６６】
ユーザは、収納部材４０の所定位置にＨＤＤユニット２を挿入する。
【００６７】
次に、ユーザは、第１の着脱レバー２１を把持する。
【００６８】
ユーザは、第１の着脱レバー２１に形成された嵌合部２３を回転軸５に係合する。
【００６９】
ユーザは、収納部材４０にＨＤＤユニット２を挿入する場合、回転軸５を中心軸として第１の着脱レバー２１を図３における矢印Ａ方向に回動する。これにより、第１の先端部２４ａは、収納部材４０に設けられた縁部４２ｂと当接する。ＨＤＤユニット２は、第１の先端部２４ａと縁部４２ｂとが当接することによって、収納部材４０に挿入する。
【００７０】
一方で、ユーザは、収納部材４０にＨＤＤユニット２を抜去する場合、回転軸５を中心軸として第１の着脱レバー２１を図３における矢印Ｂ方向に回動する。これにより、第２の先端部２４ｂは、収納部材４０に設けられた縁部４２ａと当接する。ＨＤＤユニット２は、第２の先端部２４ｂと縁部４２ａとが当接することによって、収納部材４０から抜去する。
【００７１】
さらに、ユーザは、作業が終了した際に、回転軸５から第１の着脱レバー２１を取外す。
【００７２】
回転軸５の材質には、回転軸５を中心軸として第１の着脱レバー２１を図３における矢印Ａ方向または矢印Ｂ方向に回動し、先端部２４（第１の先端２４ａ、第２の先端部２４ｂ）と縁部４２（縁部４２ｂ、縁部４２ａ）とが当接し、ＨＤＤユニット２を挿抜することのできる強度があれば、金属、樹脂等の様々な材質を採用すればよい。
【００７３】
尚、説明の便宜上、一例として、電子機器ユニットであるＨＤＤユニット２を収納部材であるラック４０に装着する場合について説明したが、これに限らず、電子機器ユニットである電子基盤を装着してもよい。
【００７４】
このように本実施の形態に係る着脱機構１によれば、収納部材に収納された電子機器ユニットの放熱を効率的に実施すると共に、その電子機器ユニットのセキュリティを確保することができる。その理由は、本実施形態によれば、略Ｕ字形状に形成された嵌合部２３を備えることによって、回転軸５から容易に着脱することができるからである。そのため、着脱機構１は、課題であったＨＤＤユニット２の前面に遮蔽物となる第１の着脱レバー２１を着脱することができるからである。このため、着脱機構１は、冷却ファンの回転数を抑えることができるだけで無く、さらに、冷却ファンが高速回転することによって発生する騒音や消費電力を削減することができる。さらに、着脱機構１は、作業に応じて第１の着脱レバー２１を着脱すことができるため、ＨＤＤユニット２を第三者が無断で着脱することを防止することができるからである。また、着脱機構１は、部品コストを低減することができる。その理由は、着脱機構１は、第１の着脱レバー２１を着脱すことができるため、複数のＨＤＤユニット２において、第１の着脱レバー２１を共用して使用することができるからである。
【００７５】
＜第２の実施形態＞
次に、上述した本発明の第１の実施形態に係る着脱機構１を基本とする第２の実施形態について説明する。以下の説明においては、本実施形態に係る特徴的な部分を中心に説明する。その際、上述した第１の実施形態と同様な構成については、同一の参照番号を付すことにより、重複する説明は省略する。
【００７６】
本発明の第２の実施形態の着脱機構１ａについて、図４乃至図６を参照して説明する。
【００７７】
図４は、本発明の第２の実施形態における着脱機構１ａを示す斜視図である。
【００７８】
着脱機構１ａは、大別して、ＨＤＤユニット２ａ、第２の着脱レバー３２によって構成されている。
【００７９】
以下の説明において、説明の便宜上、本実施形態において説明する着脱レバーを第２の着脱レバー３２と称する（以下の実施形態においても同様）。
【００８０】
ＨＤＤユニット２ａは、第１の実施形態において説明したＨＤＤユニット２に、さらに、第２のラッチ部３１を有する。
【００８１】
図５は、第２の実施形態に係る着脱機構１ａにおける第２のラッチ部３１を示す斜視図である。
【００８２】
より具体的に、第２のラッチ部３１は、略長方形の形状を有する。第２のラッチ部３１は、図５における＋Ｘ軸方向に先端部２４（第１の先端２４ａ、第２の先端部２４ｂ）が略コの字形状に形成されている。
第２のラッチ部３１は、先端部２４（第１の先端２４ａ、第２の先端部２４ｂ）が形成された側面と、もう一方の対向する側面に略十字形状に形成された挿入溝３３を有する。
【００８３】
挿入溝３３は、第２の着脱レバー３２の挿入部３５を挿入するために設けられた溝である（第２の着脱レバー３２の挿入部３５については、本実施形態において後述する）。
【００８４】
尚、説明の便宜上、一例として、挿入溝３３は、略十字形状に形成したが、これに限らず、挿入溝３３は、略円柱形状に形成してもよい（以下の実施形態においても同様）。
【００８５】
また、説明の便宜上、一例として、挿入溝３３は、ユーザが第２の着脱レバー３２を操作することによって、先端部２４（第１の先端２４ａ、第２の先端部２４ｂ）と縁部４２（縁部４２ｂ、縁部４２ａ）とが当接し、ＨＤＤユニット２ａを挿抜ことができる強度を保つことができる大きさに設ければよい。
【００８６】
第２のラッチ部３１は、挿入溝３３および先端部２４（第１の先端２４ａ、第２の先端部２４ｂ）を設けた側面とは異なる両側面（図５における＋Ｚ軸方向）に貫通した孔３４が円柱形状に形成されている。
【００８７】
尚、孔３４は、第２のラッチ部３１が回転軸５を中心軸として回動可能な大きさに形成すればよい。
【００８８】
次に、第２の着脱レバー３２は、略長方形の形状を有する。第２の着脱レバー３２は、挿入部３５を有する。
【００８９】
より具体的に、第２の着脱レバー３２は、長手方向の一端（図４における−Ｚ軸方向）に略十字形状に形成された挿入部３５を有する。
【００９０】
挿入部３５は、第２のラッチ部３１に形成された挿入溝３３に挿入すると共に、第２の着脱レバー３２を操作することによって、第２のラッチ部３１を回動することが可能な大きさに形成すればよい。
【００９１】
次に、本発明の第２の実施形態に係るより具体的な着脱機構１ａの動作について説明する。
【００９２】
ここでは、一例として、ユーザが収納部材４０にＨＤＤユニット２ａを装着する場合の動作について説明する。
【００９３】
尚、説明の便宜上、上述した構成を例に説明するが、これに限定されない（以下の実施形態においても同様）。
【００９４】
図６は、本発明の第２の実施形態における着脱機構１ａを示す断面図（図４におけるＡ−Ａ断面図）である。
【００９５】
ユーザは、収納部材４０の所定位置にＨＤＤユニット２ａを挿入する。
【００９６】
次に、ユーザは、第２の着脱レバー３２を把持する。
【００９７】
ユーザは、第２の着脱レバー３２の一端に形成された挿入部３５を挿入溝３３に挿入する。
【００９８】
ユーザは、収納部材４０にＨＤＤユニット２ａを挿入する場合、回転軸５を中心軸として第２の着脱レバー３２を図６における矢印Ｃ方向に回動する。これにより、第１の先端部２４ａは、収納部材４０に設けられた縁部４２ｂと当接する。ＨＤＤユニット２ａは、第１の先端部２４ａと縁部４２ｂとが当接することによって、収納部材４０に挿入する。
【００９９】
一方で、ユーザは、収納部材４０にＨＤＤユニット２ａを抜去する場合、回転軸５を中心軸として第２の着脱レバー３２を図６における矢印Ｄ方向に回動する。これにより、第２の先端部２４ｂは、収納部材４０に設けられた縁部４２ａと当接する。ＨＤＤユニット２ａは、第２の先端部２４ｂと縁部４２ａとが当接することによって、収納部材４０から抜去する。
【０１００】
このように本実施の形態に係る着脱機構１ａによれば、第１の実施形態において説明した効果を享受できると共に、効率よくＨＤＤユニット２ａを着脱することができる。その理由は、着脱機構１ａは、第２のラッチ部３１に形成された挿入溝３３と第２の着脱レバー３２に形成された挿入部３５とを有するため、容易に第２のラッチ部３１に第２の着脱レバー３２を挿入することができるからである。
【符号の説明】
【０１０１】
１    着脱機構
１ａ    着脱機構
２    ＨＤＤユニット
２ａ    ＨＤＤユニット
３    ＨＤＤケース
４    ＨＤＤ
５    回転軸
２１    第１の着脱レバー
２２    第１のラッチ部
２３    嵌合部
２４    先端部
２４ａ    第１の先端部
２４ｂ    第２の先端部
３１    第２のラッチ部
３２    第２の着脱レバー
３３    挿入溝
３４    孔
３５    挿入部
４０    収納部材
４１    開口
４２    縁部
４２ａ    縁部
４２ｂ    縁部
【図１】
2013206941.tif 000003
【図２】
2013206941.tif 000004
【図３】
2013206941.tif 000005
【図４】
2013206941.tif 000006
【図５】
2013206941.tif 000007
【図６】
2013206941.tif 000008